【事件の表示】
　平成１０年特許願第１９６００５号「色調整方法および色調整装置」拒絶査定不服審判事件〔平成１２年　１月２５日出願公開、特開２０００−　２５２７４〕について、次のとおり審決する。
【結　論】
　本件審判の請求は、成り立たない。
【理　由】
１　手続の経緯・本願発明
（１）手続の経緯
　本願は、平成１０年７月１０日の出願であって、平成１８年２月６日に手続補正がなされ、平成１９年９月１４日付けで拒絶査定がなされ、これに対して、同年１０月２５日に拒絶査定不服審判が請求されたものである。
　
（２）本願発明
　本願の請求項に係る発明は、平成１８年２月６日付け手続補正によって補正された明細書及び図面の記載からみて、その特許請求の範囲の請求項１ないし８に記載された事項によって特定されるものであるところ、請求項５に係る発明は、次のとおりのものである。
　
「画像出力機器に対するプロファイルとして色変換テーブルを備え、複数の色材により画像を出力する画像出力機器の色調整を行う色調整装置であって、
　色材総量を制限する条件が指定され、この指定された色材総量を制限する条件の範囲での色材の組み合わせに対する測色値を利用して色量制限を行う色量制限手段を備え、
　前記色材総量を制限する条件は、多次元のルックアップテーブルもしくは関数により与えられ、
　前記色量制限手段は、前記色変換テーブルに合成される、ことを特徴とする色調整装置。」（以下「本願発明」という。）
　
２　刊行物の記載事項
　原査定の拒絶の理由に引用された本願の出願前に頒布された刊行物である特開平９−２４７４７１号公報（以下「引用例」という。）には、図とともに次の事項が記載されている。（下線は審決で付した。）
　
（１）「【０００１】
【発明の属する技術分野】この発明は、
ある色空間で表現された画像データを同一または別の色空間で表現された画像データに変換するための色変換テーブルを生成する装置
【０００２】
【従来の技術】画像処理における色変換の方法としては、印刷などで行われているマトリックス演算による方法や、色変換テーブルを用いる方法がある。
【０００３】また、最近は、カラー画像の入出力メディアの多様化などに伴い、カラー画像の編集などを行うアプリケーションソフトが数多く出回り、色変換係数を作成したり、
調整することも可能
【０００４】そのため、例えば
入力画像中の
部分を
色調整
【０００５】しかし、マトリックス演算による色変換方式では、上記のような色調整を行う場合、色変換係数の調整によって肌色部分などを目的通りに再現できたとしても、他の領域の再現にも影響を生じてしまう不都合がある。
【０００６】これに対して、
色変換テーブルによる色変換方式では、色変換テーブルの局所的な調整によって目的の色再現が可能になるとともに、他の領域の再現への影響を抑えることができる
【０００７】例えば、
Ｌａｂ（Ｌ
＊
ａ
＊
ｂ
＊
と表記すべきであるが、この明細書では便宜上アスタリスク＊を省略する）空間からＹＭＣＫ（イエロー、マゼンタ、シアン、ブラック）空間への変換のための色変換テーブルでは、特定のＬａｂ入力値に対して特定のＹＭＣＫ出力目標値が存在する場合、その特定のＬａｂアドレス値に対するＹＭＣＫテーブル値を変更することによって目的の色再現を達成できるとともに、テーブル値の変更による影響は局所的となる
【０００８】
【発明が解決しようとする課題】ところで、色調整と違う目的で色変換係数を調整することもある。例えば、
ＹＭＣＫ画像データにより、Ｙ，Ｍ，Ｃ，Ｋのインクまたはトナーを用いてカラー画像を形成する場合、インクジェット方式のプリンタでは、インク量が多すぎると、用紙が波打ち、またはインクが透けて見えるために、インク量を抑えたい場合がある
【０００９】また、トナー像の転写によりカラー画像を形成する電子写真方式のプリンタでも、トナー量が多すぎると、転写不良を生じ、またはトナーが崩れるために、トナー量を抑えたい場合がある。さらに、インクまたはトナーの使用量を控えたい場合もある。
【００１０】このような場合、
色変換係数の調整により、
達成することができ
【００１１】しかしながら、このように色調整以外の目的で色変換係数を調整する場合には、
調整前と調整後で全体的な色変換特性ないし色再現特性が大きく変化しないようにする
【００１２】そこで、この発明は、色調整以外の目的で色変換係数を調整する場合に、調整前と調整後で全体的な色変換特性ないし色再現特性が大きく変化しないように色変換係数を調整することができるようにしたものである。
【００１３】
【課題を解決するための手段】この発明では、色変換テーブル生成装置として、ある色空間で表現された画像データを同一または別の色空間で表現された画像データに変換するための色変換テーブルを保持する色変換テーブル保持手段と、この色変換テーブル保持手段に保持された色変換テーブルのテーブル値を、与えられる条件に応じて変更する色変換テーブル修正手段と、を設ける。
【００１４】
【作用】上記のように構成した、この発明の色変換テーブル生成装置においては、色変換テーブル修正手段では、色変換テーブル保持手段から読み込まれた修正前の色変換テーブルの、一つ一つのアドレスに対するテーブル値が、例えば「Ｙ，Ｍ，Ｃ，Ｋテーブル値（出力データ値）の総量を２５０％以下にする」というような条件に適合するか否かが判定される。
【００１５】そして、色変換テーブル修正手段は、その条件に適合するアドレスについては、修正前の色変換テーブルのそのアドレスに対するテーブル値を、そのまま修正後の色変換テーブルの同じアドレスに対するテーブル値とし、その条件に適合しないアドレスについては、修正前の色変換テーブルのそのアドレスに対するテーブル値を、その条件に適合するように変更して、その変更後のテーブル値を修正後の色変換テーブルの同じアドレスに対するテーブル値とする。
【００１６】したがって、修正後の色変換テーブルは修正前の色変換テーブルに対して、例えばインクやトナーの量を抑えるためにＹ，Ｍ，Ｃ，Ｋテーブル値の総量を一定値以下にするというような目的の範囲内でのみ、変更されたものとなって、その修正後の色変換テーブルによって画像データが色変換される場合には、色変換テーブルの修正によって全体的な色変換特性ないし色再現特性が大きく変化することがない。」
（２）「【００１７】
【発明の実施の形態】図１は、この発明の
色変換テーブル生成装置
を備える色変換装置
Ｌａｂ空間からＹＭＣＫ空間への変換がなされる
【００１８】すなわち、
色変換器１００では、Ｌ，ａ，ｂデータＬｉ，ａｉ，ｂｉが、後述する色変換テーブルによって、Ｙ，Ｍ，Ｃ，ＫデータＹｏ，Ｍｏ，Ｃｏ，Ｋｏに変換される
【００１９】したがって、その色変換テーブルは、
３次元ＬＵＴ（ルックアップテーブル）を構成し
３次元ＬＵＴ参照型色変換器
【００２０】ただし、その
３次元ＬＵＴである色変換テーブル
Ｌ，ａ，ｂデータの代表値を示す格子点についてのＹ，Ｍ，Ｃ，Ｋデータがテーブル値として記述されたもので
色変換器１００においては、その格子点についてのＹ，Ｍ，Ｃ，Ｋテーブル値から、立方体補間、斜三角柱補間などの補間法によって、出力のＹ，Ｍ，Ｃ，ＫデータＹｏ，Ｍｏ，Ｃｏ，Ｋｏが算出
【００２１】そして、この例の
色変換テーブル生成装置は、色変換テーブル保持手段１０、色変換テーブル修正手段２０、操作パネル３０および制御部４０を備えた構成
【００２２】
色変換テーブル保持手段１０
ハードディスクなどの記憶装置で
修正前の色変換テーブルがあらかじめ書き込まれるとともに、後述するように修正後の色変換テーブルが書き込まれる
【００２３】ただし、
この場合の修正前の色変換テーブルは、
色変換テーブル修正手段２０によって修正された色変換テーブルも、修正後に色変換テーブル保持手段１０に書き込まれることによって、修正前の色変換テーブルとして再度、色変換テーブル修正手段２０によって修正することが可能
【００２４】
色変換テーブル修正手段２０は、テーブル一時保持部２１、テーブル値判定部２２およびテーブル値変更部２３を備える。テーブル一時保持部２１は、色変換テーブル保持手段１０から修正前の色変換テーブルが読み込まれるバッファメモリで、修正前の色変換テーブルは、テーブル一時保持部２１上で修正される
【００２５】
テーブル値判定部２２は、テーブル一時保持部２１に読み込まれた修正前の色変換テーブルの、一つ一つの格子点についてのテーブル値が、制御部４０を通じて指示された条件に適合するか否かを判定し、その条件に適合する格子点については、修正前の色変換テーブルのその格子点についてのテーブル値を、そのまま修正後の色変換テーブルの同じ格子点についてのテーブル値とするとともに、その条件に適合しない格子点については、修正前の色変換テーブルのその格子点についてのテーブル値の変更をテーブル値変更部２３に指示する
【００２６】
テーブル値変更部２３は、テーブル値判定部２２からテーブル値の変更を指示された、条件に適合しない格子点につき、修正前の色変換テーブルのその格子点についてのテーブル値を、その条件に適合するように変更し、その変更後のテーブル値を、修正後の色変換テーブルの同じ格子点についてのテーブル値とするように、テーブル一時保持部２１上の修正前の色変換テーブルのテーブル値を書き換える
【００２７】
操作パネル３０は、ユーザが、修正する色変換テーブルを指定するとともに、修正後の色変換テーブルのテーブル値が満たすべき条件を指定するものである
【００２８】
制御部４０は、操作パネル３０での指定にもとづいて、色変換テーブル保持手段１０から色変換テーブル修正手段２０のテーブル一時保持部２１に修正前の色変換テーブルを読み込ませ、テーブル値判定部２２に対して修正前の色変換テーブルのテーブル値が条件に適合するか否かの判定を行わせ、テーブル値変更部２３に対して修正前の色変換テーブルのテーブル値の変更を行わせる
【００２９】具体的に、操作パネル３０では、図２に示すように、「色変換テーブル名」として修正する色変換テーブルを、「Ｔａｂｌｅ．Ａ」などのように指定し、「出力テーブル名」として修正後の色変換テーブルの名称を、「Ｔａｂｌｅ＿ｍｏｄ．Ａ」などのように指定する。
【００３０】そして、「条件」の欄では、修正後の色変換テーブルのテーブル値が満たすべき条件として、例えば、Ｙ，Ｍ，Ｃ，Ｋテーブル値の総量を２５０％以下にする意味で、「トータルテーブル値」を「２５０％」とする。
【００３１】さらに、このように
Ｙ，Ｍ，Ｃ，Ｋテーブル値の総量が２５０％以下となるように
【００３２】このように操作パネル３０で指定されることによって、
まず、色変換テーブル保持手段１０から色変換テーブル修正手段２０のテーブル一時保持部２１に、指定された修正前の色変換テーブルが読み込まれ
【００３３】
次いで、テーブル値判定部２２では、テーブル一時保持部２１に読み込まれた修正前の色変換テーブルの、一つ一つの格子点についてのＹ，Ｍ，Ｃ，Ｋテーブル値が、上記の「トータルテーブル値が２５０％以下」という条件に適合するか否かが判定され
【００３４】この例では、Ｌアドレス値が大きい（明度が高い）格子点からＬアドレス値が小さい（明度が低い）格子点にかけて、判定がなされる。例えば、修正前の色変換テーブルにおいては、図３に示すように、Ｌａｂ空間が各軸方向に５分割されて総計２１６個の格子点を有し、それぞれの格子点にＹ，Ｍ，Ｃ，Ｋテーブル値が書き込まれているものとすると、図３において上方の格子点から順に、Ｙ，Ｍ，Ｃ，Ｋテーブル値の総量が２５０％以下であるか否かが判定される。
【００３５】
そして、テーブル値判定部２２は、Ｙ，Ｍ，Ｃ，Ｋテーブル値の総量が２５０％以下である格子点については、その格子点のＹ，Ｍ，Ｃ，Ｋテーブル値を、そのまま修正後の色変換テーブルの同じ格子点のＹ，Ｍ，Ｃ，Ｋテーブル値とする。これに対して、Ｙ，Ｍ，Ｃ，Ｋテーブル値の総量が２５０％を超える格子点については、その格子点のＹ，Ｍ，Ｃ，Ｋテーブル値の変更をテーブル値変更部２３に指示する
【００３６】
テーブル値変更部２３は、その変更を指示された格子点のＹ，Ｍ，Ｃ，Ｋテーブル値を、その総量が２５０％以下となるように変更する。
【００３７】このように、テーブル値判定部２２では、Ｌアドレス値が大きい格子点から順に、その格子点のＹ，Ｍ，Ｃ，Ｋテーブル値の総量が２５０％以下であるか否かが判定され、テーブル値変更部２３では、その格子点のＹ，Ｍ，Ｃ，Ｋテーブル値と、その格子点に対してａ，ｂアドレス値が同じで、Ｌアドレス値が１だけ大きい格子点のＹ，Ｍ，Ｃ，Ｋテーブル値とから、変更後のＹ，Ｍ，Ｃ，Ｋテーブル値が算出されるが、図３の格子点Ｐ１のように
Ｌアドレス値が最大の格子点については、
【００３８】そのため、Ｌアドレス値が最大の格子点のＹ，Ｍ，Ｃ，Ｋテーブル値の総量が２５０％を超えるときには、
以下の式（１）〜（４）によって、変更後のＹ，Ｍ，Ｃ，Ｋテーブル値Ｙｍ，Ｍｍ，Ｃｍ，Ｋｍが求められる
【００３９】
Ｙｍ＝Ｙｅ×Ｔｍ／Ｔｅ  …（１
Ｍｍ＝Ｍｅ×Ｔｍ／Ｔｅ  …（２
Ｃｍ＝Ｃｅ×Ｔｍ／Ｔｅ  …（３
Ｋｍ＝Ｋｅ×Ｔｍ／Ｔｅ  …（４
ただし、Ｙｅ，Ｍｅ，Ｃｅ，Ｋｅは変更前のＹ，Ｍ，Ｃ，Ｋテーブル値、ＴｍはＹ，Ｍ，Ｃ，Ｋテーブル値の総量の制限値（上記の例では２５０％）、Ｔｅは変更前のＹ，Ｍ，Ｃ，Ｋテーブル値Ｙｅ，Ｍｅ，Ｃｅ，Ｋｅの総量である
【００４０】そして、図３の格子点Ｐ２，Ｐ３，Ｐ４，Ｐ５，Ｐ６のように
Ｌアドレス値が最大でない格子点Ｐａについては、それぞれ、その格子点Ｐａの変更前のＹ，Ｍ，Ｃ，Ｋテーブル値Ｙａ，Ｍａ，Ｃａ，Ｋａと、その格子点Ｐａに対してａ，ｂアドレス値が同じで、Ｌアドレス値が１だけ大きい格子点Ｐｂの変更後のＹ，Ｍ，Ｃ，Ｋテーブル値Ｙｂ，Ｍｂ，Ｃｂ，Ｋｂとから、以下の式（５）〜（８）で示すような補間によって、修正後のＹ，Ｍ，Ｃ，Ｋテーブル値Ｙｃ，Ｍｃ，Ｃｃ，Ｋｃが求められる
【００４１】
  Ｙｃ＝Ｙａ＋（Ｙｂ−Ｙａ）（Ｔｂ−Ｔｍ）／（Ｔｂ−Ｔａ）  …（５
  Ｍｃ＝Ｍａ＋（Ｍｂ−Ｍａ）（Ｔｂ−Ｔｍ）／（Ｔｂ−Ｔａ）  …（６
  Ｃｃ＝Ｃａ＋（Ｃｂ−Ｃａ）（Ｔｂ−Ｔｍ）／（Ｔｂ−Ｔａ）  …（７
  Ｋｃ＝Ｋａ＋（Ｋｂ−Ｋａ）（Ｔｂ−Ｔｍ）／（Ｔｂ−Ｔａ）  …（８
ただし、Ｔａは格子点Ｐａの変更前のＹ，Ｍ，Ｃ，Ｋテーブル値Ｙａ，Ｍａ，Ｃａ，Ｋａの総量、Ｔｂは格子点Ｐｂの変更後のＹ，Ｍ，Ｃ，Ｋテーブル値Ｙｂ，Ｍｂ，Ｃｂ，Ｋｂの総量、Ｔｍは上述したようにＹ，Ｍ，Ｃ，Ｋテーブル値の総量の制限値（上記の例では２５０％）である
【００４２】具体的に、図３の格子点Ｐ４のＹ，Ｍ，Ｃ，Ｋテーブル値が変更される場合を示す。すなわち、この場合、格子点Ｐ４が格子点Ｐａであり、格子点Ｐ３が格子点Ｐｂである。そして、格子点Ｐ４の変更前のＹ，Ｍ，Ｃ，Ｋテーブル値Ｙ４，Ｍ４，Ｃ４，Ｋ４が、Ｙ４＝１００％，Ｍ４＝１００％，Ｃ４＝６０％，Ｋ４＝４０％で、その総量が３００％、格子点Ｐ３の変更後のＹ，Ｍ，Ｃ，Ｋテーブル値Ｙ３，Ｍ３，Ｃ３，Ｋ３が、Ｙ３＝４０％，Ｍ３＝６０％，Ｃ３＝８０％，Ｋ３＝２０％で、その総量が２００％であるとする。
【００４３】この場合、Ｙａ＝１００％，Ｍａ＝１００％，Ｃａ＝６０％，Ｋａ＝４０％，Ｔａ＝３００％，Ｙｂ＝４０％，Ｍｂ＝６０％，Ｃｂ＝８０％，Ｋｂ＝２０％，Ｔｂ＝２００％，Ｔｍ＝２５０％であるので、Ｙｃ＝７０％，Ｍｃ＝８０％，Ｃｃ＝７０％，Ｋｃ＝３０％が算出される。
【００４４】
色変換テーブル修正手段２０で、修正前の色変換テーブルのすべての格子点につき、Ｙ，Ｍ，Ｃ，Ｋテーブル値の総量が制限値を超えるか否かが判定され、総量が制限値を超える格子点のすべてにつき、Ｙ，Ｍ，Ｃ，Ｋテーブル値の変更がなされたら、そのテーブル一時保持部２１上の修正後の色変換テーブルが、テーブル一時保持部２１から色変換テーブル保持手段１０に書き込まれる
【００４５】上述した例によれば、修正後の色変換テーブルは修正前の色変換テーブルに対して、例えばインクやトナーの量を抑えるためにＹ，Ｍ，Ｃ，Ｋテーブル値の総量を一定値以下にするという目的の範囲内でのみ、変更されたものとなって、
その修正後の色変換テーブルによって、色変換器１００においてＬ，ａ，ｂデータＬｉ，ａｉ，ｂｉがＹ，Ｍ，Ｃ，ＫデータＹｏ，Ｍｏ，Ｃｏ，Ｋｏに変換される場合には、色変換テーブルの修正によって全体的な色変換特性ないし色再現特性が大きく変化することがない
【００４６】しかも、上記の例では、Ｙ，Ｍ，Ｃ，Ｋテーブル値の総量が制限値を超える格子点のＹ，Ｍ，Ｃ，Ｋテーブル値と、その格子点に対してａ，ｂアドレス値が同じで、Ｌアドレス値が１だけ大きい格子点のＹ，Ｍ，Ｃ，Ｋテーブル値とから、変更後のＹ，Ｍ，Ｃ，Ｋテーブル値が算出されるので、色変換テーブルの修正による全体的な色変換特性ないし色再現特性の変化は、いっそう小さくなる。」
（３）「【００５０】また、
Ｙ，Ｍ，Ｃ，Ｋテーブル値が満たすべき条件は
【００５１】さらに、このような制限などの条件は、数値や数式で表されるものに限らず、
例えばテーブルで与えられ、または関数の形とされるもの
（４）上記（１）ないし（３）からみて、引用例には、
「Ｌ＊，ａ＊，ｂ＊データの代表値を示す格子点についてのＹ，Ｍ，Ｃ，Ｋデータがテーブル値として記述されたもので、Ｌ＊，ａ＊，ｂ＊データＬｉ，ａｉ，ｂｉをＹ，Ｍ，Ｃ，ＫデータＹｏ，Ｍｏ，Ｃｏ，Ｋｏに変換する３次元ルックアップテーブルである色変換テーブルにより、Ｌ＊ａ＊ｂ＊空間からＹＭＣＫ空間への変換を行う３次元ＬＵＴ参照型色変換器であって、色変換テーブルの局所的な調整によって、入力画像中の特定色の部分をより適正な目的の色再現となす色調整を可能にするとともに、他の領域の再現への影響を抑えることができ、その格子点についてのＹ，Ｍ，Ｃ，Ｋテーブル値から、補間法によって、出力のＹ，Ｍ，Ｃ，ＫデータＹｏ，Ｍｏ，Ｃｏ，Ｋｏを算出する前記色変換器と、
　色変換テーブル保持手段、色変換テーブル修正手段、操作パネル及び制御部とを備えた構成の色変換テーブル生成装置とから成る色変換装置であって、
　前記色変換テーブル保持手段は、修正前の前記色変換テーブルがあらかじめ書き込まれるハードディスクなどの記憶装置であり、この場合の修正前の色変換テーブルは、前記色変換テーブル修正手段によって修正された色変換テーブルも、修正後に前記色変換テーブル保持手段に書き込まれることによって、修正前の色変換テーブルとして再度、前記色変換テーブル修正手段によって修正することが可能であり、
　前記色変換テーブル修正手段は、テーブル一時保持部、テーブル値判定部及びテーブル値変更部を備え、
　前記テーブル一時保持部は、前記色変換テーブル保持手段から修正前の色変換テーブルが読み込まれるバッファメモリで、前記修正前の色変換テーブルは、前記テーブル一時保持部上で修正されるようになっており、
　前記テーブル値判定部は、前記テーブル一時保持部に読み込まれた修正前の色変換テーブルの、一つ一つの格子点についてのテーブル値が、前記制御部を通じて指示された条件に適合するか否かを判定し、その条件に適合する格子点については、修正前の色変換テーブルのその格子点についてのテーブル値を、そのまま修正後の色変換テーブルの同じ格子点についてのテーブル値とするとともに、その条件に適合しない格子点については、修正前の色変換テーブルのその格子点についてのテーブル値の変更を前記テーブル値変更部に指示するものであり、
　前記テーブル値変更部は、前記テーブル値判定部からテーブル値の変更を指示された、条件に適合しない格子点につき、修正前の色変換テーブルのその格子点についてのテーブル値を、その条件に適合するように変更し、その変更後のテーブル値を、修正後の色変換テーブルの同じ格子点についてのテーブル値とするように、前記テーブル一時保持部上の修正前の色変換テーブルのテーブル値を書き換えるものであり、
　前記操作パネルは、ユーザが、修正する色変換テーブルを指定するとともに、修正後の色変換テーブルのテーブル値が満たすべき条件を指定するものであり、
　前記制御部は、前記操作パネルでの指定にもとづいて、前記色変換テーブル保持手段から前記テーブル一時保持部に修正前の色変換テーブルを読み込ませ、前記テーブル値判定部に対して修正前の色変換テーブルのテーブル値が条件に適合するか否かの判定を行わせ、前記テーブル値変更部に対して修正前の色変換テーブルのテーブル値の変更を行わせるものであり、
　ＹＭＣＫ画像データにより、Ｙ，Ｍ，Ｃ，Ｋのインクを用いてカラー画像を形成する場合、インクジェット方式のプリンタでは、インク量が多すぎると、用紙が波打ち、またはインクが透けて見えるために、色変換係数の調整により、インク量を抑えることを達成するとともに、調整前と調整後で全体的な色変換特性ないし色再現特性が大きく変化しないようにするため、
　Ｙ，Ｍ，Ｃ，Ｋテーブル値が満たすべき条件を、Ｙ，Ｍ，Ｃ，Ｋテーブル値の総量が２５０％以下となるように、テーブルまたは関数の形とされるもので与え、
　まず、指定された修正前の色変換テーブルを、前記色変換テーブル保持手段から前記テーブル一時保持部に読み込み、
　次いで、前記テーブル値判定部が、前記テーブル一時保持部に読み込まれた修正前の色変換テーブルの、一つ一つの格子点についてのＹ，Ｍ，Ｃ，Ｋテーブル値が、トータルテーブル値が２５０％以下という条件に適合するか否かを判定し、Ｙ，Ｍ，Ｃ，Ｋテーブル値の総量が２５０％以下である格子点については、その格子点のＹ，Ｍ，Ｃ，Ｋテーブル値を、そのまま修正後の色変換テーブルの同じ格子点のＹ，Ｍ，Ｃ，Ｋテーブル値とし、Ｙ，Ｍ，Ｃ，Ｋテーブル値の総量が２５０％を超える格子点については、その格子点のＹ，Ｍ，Ｃ，Ｋテーブル値の変更を前記テーブル値変更部に指示し、
　前記テーブル値変更部は、
　Ｌ＊アドレス値が最大の格子点については、以下の式（１）〜（４）によって、変更後のＹ，Ｍ，Ｃ，Ｋテーブル値Ｙｍ，Ｍｍ，Ｃｍ，Ｋｍを求め、
Ｙｍ＝Ｙｅ×Ｔｍ／Ｔｅ  …（１）
Ｍｍ＝Ｍｅ×Ｔｍ／Ｔｅ  …（２）
Ｃｍ＝Ｃｅ×Ｔｍ／Ｔｅ  …（３）
Ｋｍ＝Ｋｅ×Ｔｍ／Ｔｅ  …（４）
（ただし、Ｙｅ，Ｍｅ，Ｃｅ，Ｋｅは変更前のＹ，Ｍ，Ｃ，Ｋテーブル値、ＴｍはＹ，Ｍ，Ｃ，Ｋテーブル値の総量の制限値（２５０％）、Ｔｅは変更前のＹ，Ｍ，Ｃ，Ｋテーブル値Ｙｅ，Ｍｅ，Ｃｅ，Ｋｅの総量である。）
　Ｌ＊アドレス値が最大でない格子点Ｐａについては、それぞれ、その格子点Ｐａの変更前のＹ，Ｍ，Ｃ，Ｋテーブル値Ｙａ，Ｍａ，Ｃａ，Ｋａと、その格子点Ｐａに対してａ＊，ｂ＊アドレス値が同じで、Ｌ＊アドレス値が１だけ大きい格子点Ｐｂの変更後のＹ，Ｍ，Ｃ，Ｋテーブル値Ｙｂ，Ｍｂ，Ｃｂ，Ｋｂとから、以下の式（５）〜（８）で示すような補間によって、修正後のＹ，Ｍ，Ｃ，Ｋテーブル値Ｙｃ，Ｍｃ，Ｃｃ，Ｋｃを求め、
  Ｙｃ＝Ｙａ＋（Ｙｂ−Ｙａ）（Ｔｂ−Ｔｍ）／（Ｔｂ−Ｔａ）  …（５）
  Ｍｃ＝Ｍａ＋（Ｍｂ−Ｍａ）（Ｔｂ−Ｔｍ）／（Ｔｂ−Ｔａ）  …（６）
  Ｃｃ＝Ｃａ＋（Ｃｂ−Ｃａ）（Ｔｂ−Ｔｍ）／（Ｔｂ−Ｔａ）  …（７）
  Ｋｃ＝Ｋａ＋（Ｋｂ−Ｋａ）（Ｔｂ−Ｔｍ）／（Ｔｂ−Ｔａ）  …（８）
（ただし、Ｔａは格子点Ｐａの変更前のＹ，Ｍ，Ｃ，Ｋテーブル値Ｙａ，Ｍａ，Ｃａ，Ｋａの総量、Ｔｂは格子点Ｐｂの変更後のＹ，Ｍ，Ｃ，Ｋテーブル値Ｙｂ，Ｍｂ，Ｃｂ，Ｋｂの総量、Ｔｍは上述したようにＹ，Ｍ，Ｃ，Ｋテーブル値の総量の制限値（２５０％）である。）
　変更を指示された格子点のＹ，Ｍ，Ｃ，Ｋテーブル値を、その総量が２５０％以下となるように、変更後のＹ，Ｍ，Ｃ，Ｋテーブル値を上記のとおり算出して変更し、
　前記色変換テーブル修正手段で、修正前の色変換テーブルのすべての格子点につき、Ｙ，Ｍ，Ｃ，Ｋテーブル値の総量が制限値を超えるか否かが判定され、総量が制限値を超える格子点のすべてにつき、Ｙ，Ｍ，Ｃ，Ｋテーブル値の変更がなされたら、前記テーブル一時保持部上の修正後の色変換テーブルを、前記テーブル一時保持部から前記色変換テーブル保持手段に書き込み、その修正後の色変換テーブルによって、前記色変換器においてＬ＊，ａ＊，ｂ＊データＬｉ，ａｉ，ｂｉをＹ，Ｍ，Ｃ，ＫデータＹｏ，Ｍｏ，Ｃｏ，Ｋｏに変換する、
　色変換テーブル生成装置を備える色変換装置。」の発明（以下「引用発明」という。）が記載されているものと認められる。
　
３　対比
　本願発明と引用発明とを対比する。
（１）引用発明の「インクジェット方式のプリンタ」、「３次元ルックアップテーブルである色変換テーブル」、「Ｙ，Ｍ，Ｃ，Ｋのインク」、「カラー画像を形成する」、「色調整」、「色変換テーブル生成装置を備える色変換装置」、「Ｙ，Ｍ，Ｃ，Ｋテーブル値が満たすべき条件を、Ｙ，Ｍ，Ｃ，Ｋテーブル値の総量が２５０％以下となるように、テーブルまたは関数の形とされるもので与え」、「『Ｙ，Ｍ，Ｃ，Ｋテーブル値の総量が２５０％以下である格子点については、その格子点のＹ，Ｍ，Ｃ，Ｋテーブル値を、そのまま修正後の色変換テーブルの同じ格子点のＹ，Ｍ，Ｃ，Ｋテーブル値』とし、Ｙ，Ｍ，Ｃ，Ｋテーブル値の総量が２５０％を超える格子点については、その格子点のＹ，Ｍ，Ｃ，Ｋテーブル値の変更を前記テーブル値変更部に指示し、『変更を指示された格子点のＹ，Ｍ，Ｃ，Ｋテーブル値を、その総量が２５０％以下となるように、変更後のＹ，Ｍ，Ｃ，Ｋテーブル値を上記のとおり算出して変更』」、「Ｌ＊，ａ＊，ｂ＊データＬｉ，ａｉ，ｂｉ」、「Ｙ，Ｍ，Ｃ，Ｋテーブル値の総量が２５０％以下となる」及び「テーブルまたは関数の形とされるもので与え」は、それぞれ、本願発明の「画像出力機器」、「色変換テーブル」、「複数の色材」、「画像を出力する」、「色調整」、「色調整装置」、「色材総量を制限する条件が指定され」、「色材総量を制限する条件の範囲での色材の組み合わせ」、「測色値」、「色材総量を制限する条件」及び「多次元のルックアップテーブルもしくは関数により与えられ」に相当する。
（２）引用発明の「Ｌ＊，ａ＊，ｂ＊データの代表値を示す格子点についてのＹ，Ｍ，Ｃ，Ｋデータがテーブル値として記述されたもので、Ｌ＊，ａ＊，ｂ＊データＬｉ，ａｉ，ｂｉをＹ，Ｍ，Ｃ，ＫデータＹｏ，Ｍｏ，Ｃｏ，Ｋｏに変換する３次元ルックアップテーブルである色変換テーブルにより、Ｌ＊ａ＊ｂ＊空間からＹＭＣＫ空間への変換を行う３次元ＬＵＴ参照型色変換器」における「色変換テーブル」は、「ＹＭＣＫ画像データにより、Ｙ，Ｍ，Ｃ，Ｋのインクを用いてカラー画像を形成する」場合、使用する「画像出力機器（インクジェット方式のプリンタ）」に対して合うように「色変換特性ないし色再現特性」が調整されるものであることが、当業者に自明であるから、引用発明は、本願発明の「画像出力機器に対するプロファイルとして色変換テーブルを備え」る事項を有しているといえる。
（３）引用発明の「Ｌ＊，ａ＊，ｂ＊データの代表値を示す格子点についてのＹ，Ｍ，Ｃ，Ｋデータがテーブル値として記述されたもので、Ｌ＊，ａ＊，ｂ＊データＬｉ，ａｉ，ｂｉをＹ，Ｍ，Ｃ，ＫデータＹｏ，Ｍｏ，Ｃｏ，Ｋｏに変換する３次元ルックアップテーブルである色変換テーブルにより、Ｌ＊ａ＊ｂ＊空間からＹＭＣＫ空間への変換を行う３次元ＬＵＴ参照型色変換器」は、「画像出力機器に対するプロファイルとして色変換テーブルを備え」ているものであり（上記（２）参照。）、「画像出力機器（インクジェット方式のプリンタ）」により「Ｙ，Ｍ，Ｃ，Ｋのインクを用いてカラー画像を形成する」場合に用いることができるものであって、かつ、「色変換テーブルの局所的な調整によって、入力画像中の特定色の部分をより適正な目的の色再現となす色調整を可能にする」ものであるから、「複数の色材により画像を出力する画像出力機器の色調整を行う色調整装置」であるといえる。
（４）上記（２）及び（３）からみて、引用発明の「色調整装置（色変換装置）」と本願発明の「色調整装置」とは「画像出力機器に対するプロファイルとして色変換テーブルを備え、複数の色材により画像を出力する画像出力機器の色調整を行う」ものである点で一致する。
（５）
　ア　引用発明は、「ＹＭＣＫ画像データにより、Ｙ，Ｍ，Ｃ，Ｋのインクを用いてカラー画像を形成する場合、インクジェット方式のプリンタでは、インク量が多すぎると、用紙が波打ち、またはインクが透けて見えるために、色変換係数の調整により、インク量を抑えることを達成するとともに、調整前と調整後で全体的な色変換特性ないし色再現特性が大きく変化しないようにするため、
　Ｙ，Ｍ，Ｃ，Ｋテーブル値が満たすべき条件を、Ｙ，Ｍ，Ｃ，Ｋテーブル値の総量が２５０％以下となるように、テーブルまたは関数の形とされるもので与え、
　まず、指定された修正前の色変換テーブルを、前記色変換テーブル保持手段から前記テーブル一時保持部に読み込み、
　次いで、前記テーブル値判定部が、前記テーブル一時保持部に読み込まれた修正前の色変換テーブルの、一つ一つの格子点についてのＹ，Ｍ，Ｃ，Ｋテーブル値が、トータルテーブル値が２５０％以下という条件に適合するか否かを判定し、Ｙ，Ｍ，Ｃ，Ｋテーブル値の総量が２５０％以下である格子点については、その格子点のＹ，Ｍ，Ｃ，Ｋテーブル値を、そのまま修正後の色変換テーブルの同じ格子点のＹ，Ｍ，Ｃ，Ｋテーブル値とし、Ｙ，Ｍ，Ｃ，Ｋテーブル値の総量が２５０％を超える格子点については、その格子点のＹ，Ｍ，Ｃ，Ｋテーブル値の変更を前記テーブル値変更部に指示し、
　前記テーブル値変更部は、
　Ｌ＊アドレス値が最大の格子点については、以下の式（１）〜（４）によって、変更後のＹ，Ｍ，Ｃ，Ｋテーブル値Ｙｍ，Ｍｍ，Ｃｍ，Ｋｍを求め、
Ｙｍ＝Ｙｅ×Ｔｍ／Ｔｅ  …（１）
Ｍｍ＝Ｍｅ×Ｔｍ／Ｔｅ  …（２）
Ｃｍ＝Ｃｅ×Ｔｍ／Ｔｅ  …（３）
Ｋｍ＝Ｋｅ×Ｔｍ／Ｔｅ  …（４）
（ただし、Ｙｅ，Ｍｅ，Ｃｅ，Ｋｅは変更前のＹ，Ｍ，Ｃ，Ｋテーブル値、ＴｍはＹ，Ｍ，Ｃ，Ｋテーブル値の総量の制限値（２５０％）、Ｔｅは変更前のＹ，Ｍ，Ｃ，Ｋテーブル値Ｙｅ，Ｍｅ，Ｃｅ，Ｋｅの総量である。）
　Ｌ＊アドレス値が最大でない格子点Ｐａについては、それぞれ、その格子点Ｐａの変更前のＹ，Ｍ，Ｃ，Ｋテーブル値Ｙａ，Ｍａ，Ｃａ，Ｋａと、その格子点Ｐａに対してａ＊，ｂ＊アドレス値が同じで、Ｌ＊アドレス値が１だけ大きい格子点Ｐｂの変更後のＹ，Ｍ，Ｃ，Ｋテーブル値Ｙｂ，Ｍｂ，Ｃｂ，Ｋｂとから、以下の式（５）〜（８）で示すような補間によって、修正後のＹ，Ｍ，Ｃ，Ｋテーブル値Ｙｃ，Ｍｃ，Ｃｃ，Ｋｃを求め、
  Ｙｃ＝Ｙａ＋（Ｙｂ−Ｙａ）（Ｔｂ−Ｔｍ）／（Ｔｂ−Ｔａ）  …（５）
  Ｍｃ＝Ｍａ＋（Ｍｂ−Ｍａ）（Ｔｂ−Ｔｍ）／（Ｔｂ−Ｔａ）  …（６）
  Ｃｃ＝Ｃａ＋（Ｃｂ−Ｃａ）（Ｔｂ−Ｔｍ）／（Ｔｂ−Ｔａ）  …（７）
  Ｋｃ＝Ｋａ＋（Ｋｂ−Ｋａ）（Ｔｂ−Ｔｍ）／（Ｔｂ−Ｔａ）  …（８）
（ただし、Ｔａは格子点Ｐａの変更前のＹ，Ｍ，Ｃ，Ｋテーブル値Ｙａ，Ｍａ，Ｃａ，Ｋａの総量、Ｔｂは格子点Ｐｂの変更後のＹ，Ｍ，Ｃ，Ｋテーブル値Ｙｂ，Ｍｂ，Ｃｂ，Ｋｂの総量、Ｔｍは上述したようにＹ，Ｍ，Ｃ，Ｋテーブル値の総量の制限値（２５０％）である。）
　変更を指示された格子点のＹ，Ｍ，Ｃ，Ｋテーブル値を、その総量が２５０％以下となるように、変更後のＹ，Ｍ，Ｃ，Ｋテーブル値を上記のとおり算出して変更し、
　前記色変換テーブル修正手段で、修正前の色変換テーブルのすべての格子点につき、Ｙ，Ｍ，Ｃ，Ｋテーブル値の総量が制限値を超えるか否かが判定され、総量が制限値を超える格子点のすべてにつき、Ｙ，Ｍ，Ｃ，Ｋテーブル値の変更がなされたら、前記テーブル一時保持部上の修正後の色変換テーブルを、前記テーブル一時保持部から前記色変換テーブル保持手段に書き込み、その修正後の色変換テーブルによって、前記色変換器においてＬ＊，ａ＊，ｂ＊データＬｉ，ａｉ，ｂｉをＹ，Ｍ，Ｃ，ＫデータＹｏ，Ｍｏ，Ｃｏ，Ｋｏに変換する」ものである。
　イ　上記アで、「測色値（Ｌ＊，ａ＊，ｂ＊データＬｉ，ａｉ，ｂｉ）」が色変換され「Ｙ，Ｍ，Ｃ，ＫデータＹｏ，Ｍｏ，Ｃｏ，Ｋｏ」であるＹＭＣＫ画像データになり、これにより、Ｙ，Ｍ，Ｃ，Ｋのインクを用いてカラー画像を形成することになるのであるから、上記「測色値（Ｌ＊，ａ＊，ｂ＊データＬｉ，ａｉ，ｂｉ）」は、「色材の組み合わせ（Ｙ，Ｍ，Ｃ，Ｋのインクを用いてカラー画像）」に対するものであるといえる。
　ウ　また、引用発明の上記アの点は「インク（色材）量を抑える」ための処理であるから、本願発明の「色量制限を行う色量制限手段」に相当する。
　エ　してみると、上記イ、ウ及び（１）からして、引用発明の「色量制限手段」と本願発明の「色量制限手段」とは、「色材総量を制限する条件が指定され、この指定された色材総量を制限する条件の範囲での色材の組み合わせに対する測色値を利用して色量制限を行う」ものである点で一致する。
（６）上記（１）ないし（５）からみて、本願発明と引用発明とは、
「画像出力機器に対するプロファイルとして色変換テーブルを備え、複数の色材により画像を出力する画像出力機器の色調整を行う色調整装置であって、
　色材総量を制限する条件が指定され、この指定された色材総量を制限する条件の範囲での色材の組み合わせに対する測色値を利用して色量制限を行う色量制限手段を備え、
　前記色材総量を制限する条件は、多次元のルックアップテーブルもしくは関数により与えられる色調整装置。」である点で一致し、次の点で相違する。
　
相違点：
　前記色量制限手段は、本願発明では、色変換テーブルに合成されるのに対して、引用発明では、修正前の色変換テーブルのＹ，Ｍ，Ｃ，Ｋテーブル値の総量が制限値を超える格子点のすべてにつき、Ｙ，Ｍ，Ｃ，Ｋテーブル値を変更した修正後の色変換テーブルに反映されるものであることが明らかであるが、色変換テーブルに「合成される」ものではない点。
　
４　判断
　上記相違点について検討する。
（１）色変換の技術分野において、色変換データと、補正データ等とを合成して作成した色変換のための合成ＬＵＴは、本願出願前に周知である（例．特開平１０−８１７号公報（【０００７】、【００１５】、【００７７】、【００７８】参照。）、特開平１０−６５６２号公報（【００３４】参照。）、特開平１０−３２７２４号公報（【００７８】〜【００８６】参照。）、特開平１０−３２７２５号公報（【００３６】参照。））。
（２）引用発明では、修正前の色変換テーブルのＹ，Ｍ，Ｃ，Ｋテーブル値の総量が制限値を超える格子点のすべてにつき、Ｙ，Ｍ，Ｃ，Ｋテーブル値を変更して修正後の色変換テーブルを作成しているが、修正前の色変換テーブルとは別に、「Ｙ，Ｍ，Ｃ，Ｋテーブル値の総量が２５０％を超える格子点についてのみの修正用補正データであって、それらの格子点のＹ，Ｍ，Ｃ，Ｋテーブル値が（『Ｙｅ、Ｍｅ、Ｃｅ、Ｋｅ』や『Ｙａ、Ｍａ、Ｃａ、Ｋａ』ではなく）『Ｙｍ、Ｍｍ、Ｃｍ、Ｋｍ』や『Ｙｃ、Ｍｃ、Ｃｃ、Ｋｃ』である補正データ」又は「Ｙ，Ｍ，Ｃ，Ｋ値の総量が２５０％以下である入力値に対しては、そのまま同じ値を出力し、Ｙ，Ｍ，Ｃ，Ｋ値の総量が２５０％を超える入力値『Ｙｅ、Ｍｅ、Ｃｅ、Ｋｅ』や『Ｙａ、Ｍａ、Ｃａ、Ｋａ』に対しては、それぞれ『Ｙｍ、Ｍｍ、Ｃｍ、Ｋｍ』や『Ｙｃ、Ｍｃ、Ｃｃ、Ｋｃ』の値を出力するＬＵＴなどの補正テーブル」をいったん作成し、この補正データ又は補正テーブルを修正前の色変換テーブルに合成することによって、修正後の色変換テーブルを作成するようにすることは、当業者が、上記（１）の周知技術に基づいて、容易に想到することができた程度のことである。
（３）また、本願発明の奏する効果は、引用発明の奏する効果、上記周知技術の奏する効果から当業者が予測できた程度のものである。
（４）したがって、本願発明は、当業者が、引用例に記載された発明及び周知技術に基づいて容易に発明をすることができたものである。
　
５　むすび 
　以上のとおり、本願発明は、当業者が、引用例に記載された発明及び周知技術に基づいて容易に発明をすることができたものであるから、特許法第２９条第２項の規定により特許を受けることができない。
　よって、結論のとおり審決する。